(57)【要約】【課題】あたかもショーツを着用していることを忘れるような、ハダカに近い感覚のリラックスをすることができる。【解決手段】ショーツ１は、着用者に紐により留めるものであり、少なくとも、着用者の前下腹部を覆う前部２と、着用者の後下腹部を覆う後部４と、によって構成されている。前部２の上部２１には、前紐６１を通す前紐通し部２２が設けられ、後部４の上部４１には、後紐６２を通す後紐通し部４２が設けられ、後紐通し部４２は、伸縮性部材である。【選択図】図３
2018096017.tif 000002
【特許請求の範囲】
【請求項１】
着用者に紐により留めるショーツにおいて、
少なくとも、着用者の前下腹部を覆う前部と、着用者の後下腹部を覆う後部と、によって構成され、
前記前部の上部には、前記紐を通す前紐通し部が設けられ、
前記後部の上部には、前記紐を通す後紐通し部が設けられ、
前記後紐通し部は、伸縮性部材である
ことを特徴とするショーツ。
【請求項２】
請求項１に記載のショーツにおいて、
前記前部には、着用者のそけい部を覆う前フレア部が設けられ、
前記前フレア部は、前記後紐通し部に対して非伸縮である
ことを特徴とするショーツ。
【請求項３】
請求項１または２に記載のショーツにおいて、
前記前部と、前記後部と、着用者の股を覆う股部とによって構成され、
前記前部と前記後部との少なくとも裏面側には、シルクが用いられ、
前記股部の少なくとも裏面側には、コットンが用いられた
ことを特徴とするショーツ
【発明の詳細な説明】
【技術分野】
【０００１】  本発明は、ショーツに関する。
【背景技術】
【０００２】  従来のショーツには、着用者のそけい部と臀部と腰部とに密着させて着用するものがある（例えば、特許文献１参照）。【０００３】  例えば、特許文献１に示す従来技術では、着用状態を安定した状態に維持しつつ、裾のずり上がりや臀裂への食い込みを防止することを目的としたショーツである。
【先行技術文献】
【特許文献】
【０００４】
【特許文献１】特開２０１６−３４０９号公報
【発明の概要】
【発明が解決しようとする課題】
【０００５】  ところで、特許文献１に示す従来技術のように、着用状態を安定させるために着用者のそけい部と臀部と腰部とに密着させると、ショーツを着用していることを着用者は意識してしまい、カラダがストレスを感じる原因の一つとなっている。【０００６】  そこで、上記課題を解決するために、本発明は、あたかもショーツを着用していることを忘れているようなハダカに近い感覚のショーツを提供することを目的とする。
【課題を解決するための手段】
【０００７】  上記の目的を達成するため、本発明にかかるショーツは、着用者に紐により留めるショーツにおいて、少なくとも、着用者の前下腹部を覆う前部と、着用者の後下腹部を覆う後部と、によって構成され、前記前部の上部には、前記紐を通す前紐通し部が設けられ、前記後部の上部には、前記紐を通す後紐通し部が設けられ、前記後紐通し部は、伸縮性部材であることを特徴とする。【０００８】  本発明によれば、着用者に前記紐により留めるショーツにおいて、少なくとも前記前部と前記後部とによって構成され、前記前部の上部に前記前紐通し部が設けられ、前記後部の上部に前記後紐通し部が設けられ、前記後紐通し部は、伸縮性部材であるので、前記紐で当該ショーツを着用者に着用させることができ、その結果、当該ショーツを着用者が着用した場合であっても、あたかも当該ショーツを着用していることを忘れるような締め付け感覚がなく、ハダカに近い感覚で当該ショーツを着用することができ、カラダをリラックスさせることができる。【０００９】  前記構成において、前記前部には、着用者のそけい部を覆う前フレア部が設けられ、前記前フレア部は、前記後紐通し部に対して非伸縮であってもよい。【００１０】  この場合、前記前部に前記前フレア部が設けられ、前記前フレア部は前記後紐通し部に対して非伸縮であるので、当該ショーツの着用時、着用者のそけい部への圧着を防止することができる。【００１１】  前記構成において、前記前部と、前記後部と、着用者の股を覆う股部とによって構成され、前記前部と前記後部との少なくとも裏面側には、シルクが用いられ、前記股部の少なくとも裏面側には、コットンが用いられてもよい。【００１２】  この場合、前記前部と前記後部と前記股部とによって構成され、前記前部と前記後部との少なくとも裏面側にシルクが用いられ、前記股部の少なくとも裏面側にコットンが用いられているので、軽量化を図ることができ、前記紐により留めて着用する当該ショーツであっても、着用時に当該ショーツがズレることがない。
【発明の効果】
【００１３】  本発明によれば、あたかもショーツを着用していることを忘れるような、ハダカに近い感覚のショーツを提供することができる。
【図面の簡単な説明】
【００１４】
【図１】  本実施の形態にかかるショーツの正面図である。
【図２】  本実施の形態にかかるショーツの背面図である。
【図３】  本実施の形態にかかる、表面側から視たショーツの側面の拡大図である。
【図４】  本実施の形態にかかる、裏面側から視たショーツの側面の拡大図である。
【発明を実施するための形態】
【００１５】  以下、本発明の実施の形態について図面を参照して説明する。
【００１６】  本実施の形態にかかるショーツ１は、図１に示すように、着用者に紐により留めるフレアタイプのショーツ（フレアショーツ）である。なお、本実施の形態では、紐として、２つの紐（前紐６１、後紐６２）を用いる。
【００１７】  ショーツ１は、図１，２に示すように、着用者の前下腹部を覆う前部２と、着用者の股を覆う股部３と、着用者の後下腹部を覆う後部４とによって構成されている。
【００１８】  前部２には、軽量で肌に優しいシルクが用いられている。そのため、前部２の裏面側は、シルクである。
【００１９】  また、前部２には、図１に示すように、着用者のそけい部を覆う前フレア部２３が設けられている。この前フレア部２３は、後部４及び股部３との接縁や上部２１を除く、前部２の外縁が不規則に凹凸して成形されている。この不規則の凹凸により、フレア形状をなす。また、前フレア部２３は、シルクが用いられており、後述する後紐通し部４２に対して非伸縮である。なお、本実施の形態でいう非伸縮とは、あくまでも後通し部４２に比べて伸縮性を有しないということであって、全く伸縮しないものではない。
【００２０】  また、前部２には、図１に示すように、その上部２１に前紐６１を通す前紐通し部２２が設けられている。前紐通し部２２は、シルクが用いられており、後述する後紐通し部４２に対して非伸縮である。
【００２１】  後部４には、軽量で肌に優しいシルクが用いられている。そのため、後部４の裏面側は、シルクである。
【００２２】  また、後部４には、図１，２に示すように、着用者の臀部を覆う後フレア部４３が設けられている。この後フレア部４３は、前部２及び股部３との接縁や上部４１を除く、後部４の外縁が不規則に凹凸して成形されている。この不規則の凹凸により、フレア形状をなす。また、後フレア部４３は、シルクが用いられており、後述する後紐通し部４２に対して非伸縮である。
【００２３】  また、後部４の上部４１には、図２〜４に示すように、後紐６２を通す後紐通し部４２が設けられている。後紐通し部４２は、伸縮性部材であり、シルク以外に弾性材料であるゴムがシルクとともに用いられて伸縮性を有する。なお、着用者の肌に触れる後紐通し部４２の裏面側はシルクとなっている。また、後紐通し部４２の端部は、パイピング加工されている。
【００２４】  股部３には、軽量で肌に優しいシルクが用いられ、股部３の裏面側にコットンが用いられている。つまり、股部３の表面側はシルクであり、裏面側はコットンである。
【００２５】  上記構成からなるショーツ１は、図１に示すように、前部２（前部２の下部）と、股部３の一端部とがオーバー繋ぎにより前繋ぎ合わされ（図１に示す符号１１参照）、図１，２に示すように、後部４（後部４の下部）と、股部３の他端部とがオーバー繋ぎにより後繋ぎ合わされ（図１，２に示す符号１２参照）、図３，４に示すように、前部２（前部２の横部）と、後部４（後部４の横部）とが補強部１３１を用いて横繋ぎ合わされて（図３，４に示す符号１３参照）、構成される。また、図３，４に示す前部２と後部４との横繋ぎでは、向かい合う前部２と後部４とのそれぞれ端縁全体で横繋ぎされておらず、端縁一部で横繋ぎされている。なお、補強部１３１は、向かい合う前部２と後部４とのそれぞれ端縁全体に設けられている。このように、補強部１３１を用いた横繋ぎを行うことで、横繋ぎのほつれを防止し、向かい合う前部２と後部４とのそれぞれ端縁一部において横繋ぎを行い、端縁他部を開放することで、前紐通し部２２への前紐６１の挿通や、後紐通し部４２への後紐６２の挿通を可能にする。そのため、前部２の端縁における開放は、前紐通し部２２がある前部２の端縁他部側であり、後部４の端縁における開放は、後紐通し部４２がある後部４の端縁他部側である。
【００２６】  本実施の形態にかかるショーツ１の使用に関して、ショーツ１を着用者に紐により留めるとは、２つの紐（前紐６１、後紐６２）を用いて、着用者がショーツ１を着用する際、前紐６１の一端と後紐６２の一端とを結び、前紐６１の他端と後紐６２の他端とを結んで前紐６１と後紐６２とにより輪状の紐を作り、輪状の紐（具体的には、前紐通し部２２と後紐通し部４２）を着用者に密着させて着用者にショーツを着用することをいう。
【００２７】  本実施の形態によれば、着用者に紐（前紐６１及び後紐６２）により留めるショーツ１であり、少なくとも前部２と後部４とによって構成され、前部２の上部２１に前紐通し部２２が設けられ、後部４の上部２１に後紐通し部４２が設けられ、後紐通し部４２は、伸縮性部材であるので、紐（前紐６１及び後紐６２）でショーツ１を着用者に着用させることができる。その結果、ショーツ１を着用者が着用した場合であっても、あたかもショーツ１を着用していることを忘れるような締め付け感覚がなく、ハダカに近い感覚でショーツ１を着用することができ、カラダをリラックスさせることができる。
【００２８】  また、本実施の形態によれば、後紐通し部４２が伸縮性部材であるので、着用者の前下腹部よりもふくらみのある後下腹部に対して、着用時にショーツ１（具体的には後部４）を伸縮させて後下腹部の曲線に沿った「ふわっとした」曲線美を演出することができる。また、本実施の形態を、紐（前紐６１及び後紐６２）を結んで着用する形態に適用した場合、後紐通し部４２の伸縮作用により、ショーツ１の着脱の際、紐（前紐６１及び後紐６２）を着用者のサイズに毎回調整しなくても容易に着用できる。
【００２９】  また、本実施の形態によれば、肌に直接触れ続ける密着部分は、前部２では前紐通し部２２であり、後部４では後紐通し部４２のみとなるので、あたかもショーツ１を着用していることを忘れるようなハダカに近い感覚でショーツを着用することができ、カラダをリラックスさせることができる。
【００３０】  また、前部２に前フレア部２３が設けられ、前フレア部２３は後紐通し部４２に対して非伸縮であるので、ショーツ１の着用時、着用者のそけい部への圧着を防止することができる。
【００３１】  また、前部２と後部４と股部３とによって構成され、前部２と後部４との少なくとも裏面側にシルクが用いられ、股部３の少なくとも裏面側にコットンが用いられているので、軽量化を図ることができ、紐（前紐６１及び後紐６２）により留めて着用するショーツ１であっても、着用時にショーツがズレることがない。
【００３２】  なお、本実施の形態では、前部２と後部４と股部３とによって構成されているが、これに限定されるものではなく、股部３が、前部２または後部４の一部分としてなってもよい。つまり、ショーツ１が前部２及び後部４のみで構成されてもよい。
【００３３】  また、本実施の形態では、２つの紐（前紐６１、後紐６２）を用いてショーツ１を着用者に紐により留めているが、これに限定されるものではなく、１本の紐を前紐通し部２２及び後紐通し部４２を通した形態のショーツであってもよく、この場合、１本の紐の両端（一端及び他端）を結んでショーツを着用者に着用させる、
【００３４】  また、本実施の形態では、後紐通し部４２に、ゴムがシルクとともに用いられているが、これに限定されるものではなく、シルクよりも伸縮性を有するものであれば、当業者が周知の他の弾性材料や他の伸縮性部材であってもよい。また、これら他の弾性材料や他の伸縮性部材を用いた場合、これら他の弾性材料や他の伸縮性部材の材質が、シルクと同様もしくはシルク以上の着用者の肌に対してストレスフリーであれば、他の弾性材料や他の伸縮性部材を、後紐通し部４２の裏面側に用いてもよい。
【００３５】  なお、本発明は、その精神や主旨または主要な特徴から逸脱することなく、他のいろいろな形で実施することができる。そのため、上述の実施形態はあらゆる点で単なる例示にすぎず、限定的に解釈してはならない。また、本発明の範囲は特許請求の範囲によって示すものであって、明細書本文には、なんら拘束されない。さらに、特許請求の範囲の均等範囲に属する変形や変更は、全て本発明の範囲内のものである。
【産業上の利用可能性】
【００３６】  本発明は、女性用ショーツに好適である。
【符号の説明】
【００３７】１  ショーツ
１１  前繋ぎ
１２  後繋ぎ
１３  横繋ぎ
１３１  補強部
２  前部
２１  上部
２２  前紐通し部
２３  前フレア部
３  股部
４  後部
４１  上部
４２  後紐通し部
４３  後フレア部
６１  前紐
６２  後紐
【図１】
2018096017.tif 000003
【図２】
2018096017.tif 000004
【図３】
2018096017.tif 000005
【図４】
2018096017.tif 000006